(57)【要約】【課題】発音効率の良好なモーターサイレンの提供を目的とする。【解決手段】単一回転軸１により駆動される発音周波数の異なる複数の発音部２、２・・を有して構成する。  また、同期回転する複数のファンロータ３、３・・の各々を異なる数量の風切窓４が開設されたロータケーシング５内にそれぞれ収容して構成し、  あるいは、  異なる枚数の回転羽根６を備えて同期回転する複数のファンロータ３、３・・の各々を風切窓４が開設されたロータケーシング５内にそれぞれ収容して構成する。【選択図】  図１
2006276455.tif 000002
【特許請求の範囲】
【請求項１】
単一回転軸により駆動される発音周波数の異なる複数の発音部を有するモーターサイレン。
【請求項２】
同期回転する複数のファンロータの各々を異なる数量の風切窓が開設されたロータケーシング内にそれぞれ収容してなるモーターサイレン。
【請求項３】
異なる枚数の回転羽根を備えて同期回転する複数のファンロータの各々を風切窓が開設されたロータケーシング内にそれぞれ収容してなるモーターサイレン。
【請求項４】
ロータケーシング内にファンロータを回転自在に収容して形成され、
前記ロータケーシングには、位相調整ガイドが形成された吸気口と、ファンロータの回転により断続開閉される風切窓とが設けられるモーターサイレン。
【発明の詳細な説明】
【技術分野】
【０００１】
本発明はモーターサイレンに関するものである。
【背景技術】
【０００２】
従来、モーターサイレンとしては、特許文献１に記載されたものが知られている。この従来例において、モーターサイレンは、ファンの外周に固定円筒を取り付けて形成される。上記ファンは放射状に延びる複数枚の羽根をカバーで覆って外形ほぼ円柱状に形成され、カバーの外周面には各羽根に対応して開口部が、一方の端面には吸気口が設けられる。また、上記固定円筒の外周面にはファンと同様に開口部が設けられ、したがってファンが回転して吸気口から吸入した空気を開口部から放出しようとすると、固定円筒の開口部により空気が断続的に切られ、音が発生する。
【０００３】
加えて、上述した特許文献１には、上記モーターサイレンを多数取り付けることによって構成される多声サイレン装置が記載される。この多声サイレン装置は、一対のモーターサイレンからなるサイレンユニットを軸継手や減速機を介して駆動電動機に連設して形成され、音高が異なる複数の音を同時に発音する。
【特許文献１】実開平２-４４７９７号公報
【発明の開示】
【発明が解決しようとする課題】
【０００４】
しかしながら、上記多声サイレン装置は、発音効率が悪いという欠点がある。すなわち、一般に、音の干渉による増音効果は、音波の重ね合わせによって互いの振幅が合成されて大きくなることによりなされるが、軸継手を介して駆動電動機にサイレンユニットを連設させたのでは、同じ周波数の音波を位置が異なる多数の発音源から同時に発生させることになるために、それぞれの音波は常に一定量だけ位相がずれた状態を維持して重なり合ってしまう。したがって、いわゆる波形の山の頂点同士を重ね合わせることにより強め合うことがないために、発音効率が悪い。
【０００５】
この点に関し、上記特許文献１には、さらに、集音板や反射板を設けたり、一部のサイレンユニットを減速機を介して連結させたりすることも提案されているが、いずれも発音量に比して装置をいたずらに大型化させてしまうという結果を招く。
【０００６】
本発明は、以上の欠点を解消すべくなされたものであって、発音効率の良好なモーターサイレンの提供を目的とする。
【課題を解決するための手段】
【０００７】
本発明によれば上記目的は、
単一回転軸１により駆動される発音周波数の異なる複数の発音部２、２・・を有するモーターサイレンを提供することにより達成される。
【０００８】
本発明において、モーターサイレンは、通気口を備えて回転駆動されるファンロータや回転円盤などによって圧縮された空気を断続的に外気中に放出し、空気の粗密波、すなわち音波を生じさせる発音部２を複数有する。かかる発音部２の複数において発音周波数を異ならせることにより、周波数の異なる複数の音波が同時に発生し、所定の周期でこれらの位相が一致して波形の山同士が重なることから、複数音波の合成による最大の振幅、すなわち最大の音量を得ることができる。また、上記ファンロータ等の複数を共通の回転軸１に連結するなどして複数の発音部２の同期駆動を単一回転軸１によることで、駆動効率を高めることができるとともに、装置をコンパクトにすることができる。したがって小さな装置で大きな音量を発するモーターサイレンを提供することができる。
【０００９】
周波数の異なる音波の合成による効率的な増音効果は、例えば周波数の差をわずかにしていわゆる音のうなりによることも可能であるが、モーターサイレンにより生じる風切り音が複合音であることを利用して、各音波に含まれる適宜の周波数成分の重ね合わせによることも可能であり、この場合、実験により各音波における周波数成分の関係を適宜決定することが可能である。発明者の実験によれば、各音波（複数周波数成分の合成波）における周波数の関係をほぼ２：３に設定する、すなわち周波数をほぼ１．５倍にして和音を生じさせるようにした場合には、上記従来例におけるような同一周波数の音波を重ね合わせた場合に比して、２、３デシベルの増音効果を得られることが確認されている。このように効率的な増音効果を奏することのできる周波数の差が和音の条件を満たす場合には、調和した心地よい大きな音響を得ることができる。
【００１０】
また、単一の回転軸１によって複数の発音部２を駆動させる場合、例えば、回転軸１の動力源としてのモータの両側に発音部２としてのファンロータ等を配置したり、あるいはモータの片側にファンロータ等を連設したりしてモーターサイレンを構成することが可能である。この場合において、モータの左右や上下などの両側に一対の発音部２を均等に配置、すなわち回転軸１の両端部に発音部２を配置した場合には、モータ片側に発音部２を連設した場合に比して全体のバランスを高めることができ、回転する複数のファンロータ等を比較的容易に安定して支持することが可能となる。
【００１１】
さらに、上述したように複数の発音部２、２・・における発音周波数を異ならせる場合、具体的には、上記従来例におけるようにファンロータ等の回転数を制御することにより行うことも可能であるが、ファンロータやこれを内部に収容するロータケーシングに変更を施すことによって、より簡潔にモーターサイレンを構成することができる。すなわち、
同期回転する複数のファンロータ３、３・・の各々を異なる数量の風切窓４が開設されたロータケーシング５内にそれぞれ収容したり、
あるいは、
異なる枚数の回転羽根６を備えて同期回転する複数のファンロータ３、３・・の各々を風切窓４が開設されたロータケーシング５内にそれぞれ収容したりして、発音周波数の異なる複数の発音部２、２・・を容易に構成することができる。
【００１２】
すなわち、空気の粗密波である音波は、単位時間当たりの粗密回数を異ならせることにより、その振動数である周波数が変更されるために、具体的には、ファンロータ３を収容するロータケーシング５から放出される気流の分断回数を異ならせることにより、周波数を容易に変更することができる。したがって、風切窓４の数量や回転羽根６の枚数を変更するだけで、気流の単位時間当たりの分断回数を複数の発音部２において容易に変更することができ、発音周波数を異ならせることができる。
【００１３】
加えて、モーターサイレンの発音効率は、上記風切窓４からの空気の粗密波の放出による発音のほかに、ファンロータ３やロータケーシング５の吸気口８からの発音を利用することにより高めることが可能である。すなわち、吸気口８から発せられる音は、上記特許文献１に記載されるように、一般的には、そのままでは位相が反転しているために風切窓４から発せられる音を弱めるように干渉するが、吸気口８に位相調整ガイド７を設けて音波を迂回等させることにより、位相を調整して音を強めるように干渉させることができる。上記位相調整ガイド７は、実験によりその形状などを適宜決定することが可能であり、発明者によれば、吸気口８からの直線距離に応じて音圧が変化し、形状に関しては、外方に向かって漸次拡大するフレアー状に形成したときに、円筒状に形成したときに比して音圧をより高めることができることが確認されている。
【発明の効果】
【００１４】
以上の説明から明らかなように、本発明によれば、発音効率の良好なモーターサイレンを提供することができ、モーターサイレンの小型化、省電力化、音達距離の向上を図ることができる。
【発明を実施するための最良の形態】
【００１５】
図１ないし図３に本発明の実施の形態を示す。この実施の形態において、モーターサイレンは、モータ１１の左右に一対の吹鳴部（発音部２）を配置した無指向性のもので、モータケース１２を支持する支持台１３を介して平坦な場所に設置可能に形成される。図１においてモータケース１２の側方に形成されるボックス状の１４はモータ１１のケーブルと図外の引き出しケーブルとを接続するための端子函であり、モータ１１の電源には三相交流が使用される。また、網目状の１５はステンレス製の防虫ネットである。
【００１６】
モータ１１は、図２に示すように、円筒状のモータケース１２内に収容されて支持台１３の上方で固定され、吹鳴部２に対応して左右に突出するシャフト（回転軸１）を回転駆動する。このシャフト１はモータケース１２と吹鳴部２を連結するガイドカバー１６に固定されるボールベアリング１７により吹鳴部２近傍で両端部を支持され、モータ１１によって３０００ＲＰＭ以上などで高速回転されて左右の吹鳴部２に同時に動力を伝達する。
【００１７】
吹鳴部２は、図２および図３に示すように、発音ガイド（ロータケーシング５）内にファンロータ３を収容して形成される。発音ガイド５は、アルミの板材を折り曲げ加工するなどしてほぼ有底円筒状に形成され、上記ガイドカバー１６に開口部を向けて取り付けられる。この発音ガイド５には、通気口として、ガイドカバー１６の反対側に位置する底壁に円形の吸気口８が、周壁に所定ピッチで矩形の排気口（風切窓４）が開設される。
【００１８】
ファンロータ３は、アルミの鋳造品であり、底板１８と天井板１９の間に発音羽根（回転羽根６）を架設して外形ほぼ円柱状に形成される。底板１８と天井板１９はロータケーシング５の内径寸法にほぼ等しい直径を備えた円盤状で、重合するように互いに平行に配置される。また、底板１８にはモータ１１のシャフト１が挿通される図示しない貫通孔が中心部に設けられ、したがって底板１８および天井板１９はシャフト１の軸線方向に対して面を直交させるようにしてナット等によりシャフト１に適宜取り付けられる。一方、天井板１９の中心部には、通気口として、上記発音ガイド５の吸気口８とほぼ同じ大きさの導入口２０が開設される。
【００１９】
発音羽根６は、上述したように底板１８等をシャフト１に対して取り付けた状態において、シャフト１周りから所定角度ピッチでほぼ放射状をなすように複数配置されていわゆる羽根車を形成する。この発音羽根６は、シャフト１周りから底板１８や天井板１９の外周縁まで直線状に延設される送風部６ａと、送風部６ａの終端から底板１８や天井板１９の外周縁に沿って一定回転方向に延設される遮断部６ｂとを有し、遮断部６ｂが隣接する発音羽根６、６間の間隙のほぼ半分程度の長さに形成されることにより、ファンロータ３の外周面には通気口としての排出口２１が形成される。
【００２０】
したがってモータ１１のシャフト１が回転すると、ファンロータ３はいわゆる遠心ファンとして機能して発音羽根６、６・・により遠心方向に空気を押し出し、また、空気が押し出されたファンロータ３中心部近傍には発音ガイド５の吸気口８とファンロータ３の導入口２０を経由して外気が流入する。すなわち、モータ１１両側の各吹鳴部２においては、モータ１１の反対側となるシャフト１の軸方向からロータケーシング５内に吸引された外気をシャフト１の軸周り方向に排出する。
【００２１】
また、ファンロータ３のロータケーシング５における回転位置によりファンロータ３の排出口２１とロータケーシング５の排気口４が重なったときには、発音羽根６によって遠心方向に押し出された空気はこれらを通過してロータケーシング５外方、すなわち外気中に放出され、一方、ファンロータ３の導入口２０がロータケーシング５の周壁に対峙するとともにロータケーシング５の排気口４が発音羽根６の遮断部６ｂにより塞がれた時には、ファンロータ３内、すなわちロータケーシング５内の空気が遠心圧縮される。これにより、ファンロータ３が回転して排出口２１と排気口４がすれ違うたびに、ロータケーシング５からは間欠的に圧搾空気が放出され、単位時間当たりの断続回数に応じた振動数の空気の粗密波、すなわち単位時間当たりの断続回数に応じた周波数の音波が発せられる。
【００２２】
また、この実施の形態において、一対の吹鳴部２を利用した音の重ね合わせによる効率的な増音効果を得るために、各吹鳴部２は、ロータケーシング５の排気口４の数、および発音羽根６の枚数を異ならせて形成される。図１ないし図３に示すように、図１においてモータ１１の左側に配置される吹鳴部２（以下「左吹鳴部２Ａ」という）には、ロータケーシング５に６個の排気口４、４・・が開設されるとともにファンロータ３には６枚の発音羽根６、６・・が形成され、一方、図１においてモータ１１の右側に配置される吹鳴部２（以下「右吹鳴部２Ｂ」という）には、ロータケーシング５に９個の排気口４、４・・が開設されるとともにファンロータ３には９枚の発音羽根６、６・・が形成される。したがって、上述した排出口２１と排気口４のすれ違い回数は、ファンロータ３の１回転に対し、左吹鳴部２Ａと右吹鳴部２Ｂにおいて６：９、すなわち２：３の割合に設定され、これによりモータ１１左右の吹鳴部２、２はほぼ２：３の割合で発音周波数が異なることになる。
【００２３】
したがって、モータ１１左右でファンロータ３、３が回転すると、周波数比がほぼ２：３に異なる２つの音波が同時に吹奏され、重ね合わされて位相が一致する所定周期で音圧が強められる。より厳密に言えば、排出口２１と排気口４のすれ違いによるいわゆる風切り音は、複数周波数成分の合成波であるために、内包する周波数成分の何らかの重ね合わせにより音圧が強められるものと思われる。さらに、周波数比がほぼ２：３に設定されることにより、和音が生じ、心地よいハーモニーを奏でることができる。
【００２４】
加えて、この実施の形態においては、発音ガイド５の吸気口８を利用してさらに増音効果を発揮すべく、吸気口８に位相調整ガイド７が設けられる。図１および図２に示すように、位相調整ガイド７は、一端から他端に向けて、具体的には吸気口８から外方に向けて直線状に漸次拡大するいわゆるメガホン状で、鋼板を湾曲させて発音ガイド５に溶接固定して形成される。したがって発音ガイド５の風切窓４やファンロータ３の発音羽根６の遮断部６ｂにより生じた音波、あるいはファンロータ３や発音ガイド５内で反響した音波などが吸気口８から発音ガイド５外部に放出される際には、位相調整ガイド７を通って迂回し、あるいは位相調整ガイド７内で反射するなどして位相が変化し、風切窓４から直接発音ガイド５の外部に放出される音波と重ね合わされたときに音圧をさらに強めることができる。
【００２５】
なお、以上の実施の形態において、モータ１１をインバータあるいはリレーで制御することにより、ファンロータ３の回転数を周期的に異ならせ、聴認性のよいウェーブ音を発するようにすることも可能である。
【実施例１】
【００２６】
位相調整ガイド７の有無と、音圧や周波数との関係性の確認を目的として、無響室内で、温度や湿度などの外部環境がほぼ同じ状態で、かつ使用するモータの容量を同一条件にして、位相調整ガイド７の有無を除いて上述した実施の形態に記載のものに一致する２台のサイレンについて、およそ１ｍ離れた正面および左右の三方から音圧の測定を行った。なお、発音羽根６や排気口４の数量については、モータ１１右側の吹鳴部２が９で、左側が６である。
【００２７】
測定結果は、位相調整ガイド７があるものでは、正面側は１５１．０デシベル、右側は１４７．０デシベル、左側は１４３．５デシベルであった。一方、位相調整ガイド７がないものでは、正面側は１４４．０デシベル、右側は１４２．０デシベル、左側は１３８．０デシベルであった。位相調整ガイド７の有無により電流値が１０．１アンペアと９．４アンペアというように若干相違してしまうことは風の流れの影響上避けられないが、この結果から明らかなように、位相調整ガイド７を設けることより、位相調整ガイド７が配置されない正面方向を含めて、音圧が高まることが確認された。
【００２８】
なお、上記位相調整ガイド７を備えたサイレンの左右方向における周波数を測定したところ、右側が３４０ヘルツで、左側が５１１ヘルツと相違していることが確認された。
【実施例２】
【００２９】
上述した発音羽根６や排気口４の数量について、モータ１１の左右に形成される吹鳴部２、２間で異ならせたときの音圧の影響を確認すべく、無響室内で、温度や湿度などの外部環境がほぼ同じ状態で、かつ使用するモータの容量を同一条件にして、左右の吹鳴部２における発音羽根６等の条件が一致する（以下「左右同一」という）サイレンと異なる（以下「左右相違」という）サイレンの２台について、音圧、周波数の測定を行った。モータへの負荷による影響を少なくするために、発音羽根６等の数量については、左右同一のサイレンは各々８に、左右相違のサイレンは６と９にした。なお、試験は一般に西日本に供給される６０ヘルツの電気を利用したものであり、また、左右の吹鳴部２において発音羽根６等の数量が異なるサイレンには、上述した位相調整ガイド７が装着されている。
【００３０】
測定結果は、モータ容量が０．７５ＫＷのときに左右同一のものは１２９デシベルであるのに対し左右相違のものは１３１デシベル、モータ容量が１．５ＫＷのときに左右同一のものは１３１デシベルであるのに対し左右相違のものは１３３デシベル、モータ容量が２．２ＫＷのときに左右同一のものは１３４デシベルであるのに対し左右相違のものは１３５デシベル、モータ容量が３．７ＫＷのときに左右同一のものは１３６デシベルであるのに対し左右相違のものは１３７デシベルであった。位相調整ガイド７の有無による影響も含まれるが、この結果から、発音羽根６や排気口４の数量についてモータ１１の左右に形成される吹鳴部２、２間で異ならせることにより、音圧が高まることが確認された。
【００３１】
なお、上記左右相違のサイレンの左右方向における周波数を測定したところ、右側が３４５ヘルツで、左側が５２０ヘルツと相違していることが確認された。
【図面の簡単な説明】
【００３２】
【図１】本発明を示す斜視図である。
【図２】内部構造を示す図で、上部を適宜破断した正面図である。
【図３】吹鳴部を示す図で、（ａ）は図２の３Ａ-３Ａ線断面図、（ｂ）は図２の３Ｂ-３Ｂ線断面図である。
【符号の説明】
【００３３】
１  回転軸
２  発音部
３  ファンロータ
４  風切窓
５  ロータケーシング
６  回転羽根
７  位相調整ガイド
８  吸気口
【図１】
2006276455.tif 000003
【図２】
2006276455.tif 000004
【図３】
2006276455.tif 000005